(57)【要約】  アクセスネットワーク相互動作のための方法、ワイヤレス送受信ユニットＷＴＲＵ（５００）、および基地局（６００）。アクセスネットワーク再選択中に使用される一時的な識別情報のマッピングルールを定義する。トラッキングエリア識別情報、ルーティングエリア識別情報、ＴＭＳＩ、パケットＴＭＳＩ、およびＳ−ＴＭＳＩ識別情報に対するマッピングルールを、ＵＴＲＡＮ、Ｅ−ＵＴＲＡＮ、およびＧＥＲＡＮのアクセスネットワークを再選択するときに使用する。アクセス・ネットワーク・サポートに応じて、ＷＴＲＵ（５００）は、アクセスネットワーク再選択要求に含まれる識別情報のタイプ（ＴＭＳＩ、Ｐ−ＴＭＳＩ、またはＳ−ＴＭＳＩ）を示すことができる。
2011507403.tif 000002
【特許請求の範囲】
【請求項１】
ＴＡＩをＲＡＩ  ＩＥにマッピングする方法であって、
ビット単位のＴＡＩ長を決定するステップと、
前記ＴＡＩ長を前記ＲＡＩ  ＩＥの長さと比較するステップと、
前記ＲＡＩ  ＩＥの前記長さに等しい前記ＴＡＩ長に応答して前記ＴＡＩを前記ＲＡＩ  ＩＥに挿入するステップと、
前記ＲＡＩ  ＩＥの前記長さよりも短い前記ＴＡＩ長に応答してパディングビットを有する前記ＴＡＩを前記ＲＡＩ  ＩＥに挿入するステップと、
前記ＲＡＩ  ＩＥの前記長さよりも長い前記ＴＡＩ長に応答して少なくとも１つの最下位ビットが除かれた前記ＴＡＩを前記ＲＡＩ  ＩＥに挿入するステップと
を備えたことを特徴とする方法。
【請求項２】
前記ＲＡＩ  ＩＥをルーティングエリア更新要求メッセージにより送信するステップをさらに備えたことを特徴とする請求項１に記載の方法。
【請求項３】
前記ＴＡＩは、Ｅ−ＵＴＲＡＮに関連することを特徴とする請求項１に記載の方法。
【請求項４】
前記ルーティングエリア更新要求メッセージは、ＵＴＲＡＮへ送信されることを特徴とする請求項２に記載の方法。
【請求項５】
前記ルーティングエリア更新要求メッセージは、ＧＥＲＡＮへ送信されることを特徴とする請求項２に記載の方法。
【請求項６】
ビット単位のＴＡＩ長を決定する、
前記ＴＡＩ長をＲＡＩ  ＩＥの長さと比較する、
前記ＲＡＩ  ＩＥの前記長さに等しい前記ＴＡＩ長に応答して前記ＴＡＩを前記ＲＡＩ  ＩＥに挿入する、
前記ＲＡＩ  ＩＥの前記長さよりも短い前記ＴＡＩ長に応答してパディングビットを有する前記ＴＡＩを前記ＲＡＩ  ＩＥに挿入する、
前記ＲＡＩ  ＩＥの前記長さよりも長い前記ＴＡＩ長に応答して少なくとも１つの最下位ビットが除かれた前記ＴＡＩを前記ＲＡＩ  ＩＥに挿入する
よう構成されたプロセッサ
を備えたＷＴＲＵ。
【請求項７】
前記ＲＡＩ  ＩＥをルーティングエリア更新要求メッセージにより送信するよう構成されたトランスミッターをさらに備えたことを特徴とする請求項６に記載のＷＴＲＵ。
【請求項８】
前記ＴＡＩは、Ｅ−ＵＴＲＡＮに関連することを特徴とする請求項６に記載のＷＴＲＵ。
【請求項９】
前記トランスミッターは、前記ルーティングエリア更新要求メッセージをＵＴＲＡＮへ送信するようにさらに構成されたことを特徴とする請求項７に記載のＷＴＲＵ。
【請求項１０】
前記トランスミッターは、前記ルーティングエリア更新要求メッセージをＧＥＲＡＮへ送信するようにさらに構成されたことを特徴とする請求項７に記載のＷＴＲＵ。
【請求項１１】
基地局において使用する方法であって、
ＮＡＳメッセージのエンコードに対するサポートを示すＳＩＢを生成するステップと、
前記ＳＩＢをブロードキャストするステップと、
識別情報のタイプを示すフィールドおよびＳ−ＴＭＳＩを含んでいる移動識別情報ＩＥを受信するステップと
を備えたことを特徴とする方法。
【請求項１２】
前記識別情報のタイプを示すフィールドは、長さが３ビットであり、前記移動識別情報ＩＥは、ルーティングエリア更新要求メッセージにより受信されることを特徴とする請求項１１に記載の方法。
【請求項１３】
前記ＮＡＳメッセージのエンコードに対するサポートの表示は、関連するＳＧＳＮの性能に基づくことを特徴とする請求項１２に記載の方法。
【請求項１４】
前記移動識別情報ＩＥの長さは、前記識別情報のタイプに基づく可変なオクテット数であることを特徴とする請求項１２に記載の方法。
【請求項１５】
前記基地局は、ＵＴＲＡＮの基地局またはＥ−ＵＴＲＡＮの基地局のうちの１つであることを特徴とする請求項１１に記載の方法。
【請求項１６】
ＮＡＳメッセージのエンコードに対するサポートを示すＳＩＢメッセージを生成するよう構成されたＳＩＢジェネレータと、
前記ＳＩＢをブロードキャストするよう構成されたトランスミッターと、
識別情報のタイプを示すフィールドおよびＳ−ＴＭＳＩを含んでいる移動識別情報ＩＥを受信するよう構成されたレシーバーと
を備えたことを特徴とする基地局。
【請求項１７】
前記識別情報のタイプを示すフィールドは、長さが３ビットであり、前記移動識別情報ＩＥは、ルーティングエリア更新要求メッセージにより受信されることを特徴とする請求項１６に記載の基地局。
【請求項１８】
前記ＮＡＳメッセージのエンコードに対するサポートの表示は、関連するＳＧＳＮの性能に基づくことを特徴とする請求項１７に記載の基地局。
【請求項１９】
前記移動識別情報ＩＥの長さは、前記移動識別情報ＩＥにおいて受信された識別情報のタイプに基づく可変なオクテット数であることを特徴とする請求項１６に記載の基地局。
【請求項２０】
前記基地局は、ＵＴＲＡＮの基地局またはＥ−ＵＴＲＡＮの基地局のうちの１つであることを特徴とする請求項１６に記載の基地局。
【発明の詳細な説明】
【技術分野】
【０００１】
本発明は、ワイヤレス通信に関し、より詳細には、新旧のワイヤレス通信ネットワーク間の登録シナリオに関する。
【背景技術】
【０００２】
図１を引用して、３ＧＰＰ（Third Generation Partnership Project）標準によって、ＵＴＲＡＮ（ＵＭＴＳ（Universal Mobile Telecommunication System）  Terrestrial Radio Access Network）ともいうＵＭＴＳ  ＲＡＮ（radio access network）と、ＬＴＥ（Long Term Evolution）またはＳＡＥ（System Architecture Evolution）ネットワークともいうＥ−ＵＴＲＡＮ（enhanced ＵＴＲＡＮ）と、例えばＧＳＭ（Global system for Mobile communications）、ＧＥＲＡＮ（ＧＳＭ  ＥＤＧＥ（enhanced data rates for  ＧＳＭ  evolution）radio access network）など、３ＧＰＰにより特徴づけられるより古い第２世代ネットワークとの間において相互に動作するための手順を指定する。３ＧＰＰ標準により、アクセスネットワークの変更にいたるセル再選択手順をＷＴＲＵ（wireless transmit/receive unit）が実行するシナリオを含むいろいろのシナリオを考慮に入れる。
【０００３】
一例は、（パケット交換（ＰＳ）ドメインにおける）Ｅ−ＵＴＲＡＮセルにキャンプオン（ｃａｍｐ  ｏｎ）のＷＴＲＵ、および次に、例えば低い信号品質または信号強度のために、ＷＴＲＵがＥ−ＵＴＲＡＮからＧＥＲＡＮへのセル再選択としてＧＥＲＡＮセルを再選択することを含む。アクセスネットワークにおける上記の変更は、ＷＴＲＵと、目標のコアネットワーク（ＣＮ）およびコアネットワーク（ＣＮ）エンティティとの間の新たな登録プロセス（ＲＡ（Routing Area）更新手順）に帰着する。図１に示されるように、これらのＣＮエンティティは、ＳＧＳＮ（serving  ＧＰＲＳ（general packet radio service）  support node）、ＭＭＥ（mobility management entity）、ＨＳＳ（home subscriber server）、サービングゲートウェイ、ＰＤＮ（パケット・データ・ネットワーク）ゲートウェイ、ＰＣＲＦ（policy control and charging rules function）、およびネットワークオペレータにより提供される他のＩＰベースサービスのどれでも含むことができる。さらに、同様の手順を、ＷＴＲＵが回路交換（ＣＳ）ドメインにあるときに、必要とする。ＣＳドメインにおいて、ＷＴＲＵは、２Ｇ−ＭＳＣ／ＶＬＲ（ＭＳＣ（Mobile services Switching Center）／Visitor Location Register）（図示せず）に対してロケーション更新を実行する。
【０００４】
ＲＡ更新手順（または結合したＲＡ／ＬＡ更新）の一部として、ＷＴＲＵは、ＷＴＲＵに前に割り当てられていた古い識別情報を使用して、目標のＣＮエンティティに対してＷＴＲＵ自体を識別する。どの識別情報がＲＡ更新要求メッセージに含まれるかは、ＷＴＲＵの発信元のアクセスネットワーク（すなわち、ＷＴＲＵがハンドオーバーを開始したアクセスネットワーク）に依存する。識別情報は、ＲＡＩ（routing area identity）、ＴＡＩ（tracking area identity）、ＴＭＳＩ（temporary mobile subscriber identity）、Ｐ−ＴＭＳＩ（packet temporary mobile subscriber identity）、またはＳ−ＴＭＳＩを含むことができる。これらの一時的な識別情報は、それらを生成するためにどのアクセスネットワークが使用されるかに基づいて異なる形式を有する。次に識別情報を、より詳細に説明する。
【０００５】
（例えばＵＴＲＡＮ、ＧＥＲＡＮなどの）レガシーシステムにおいて、ＲＡは、ＲＡＩによって識別される。ＲＡＩは、いくつかの他の識別子の連結である。他の識別子は、ＭＣＣ（mobile country code）、ＭＮＣ（mobile network code）、ＬＡＣ（location area code）、およびＲＡＣ（routing area code）を含む。ＭＣＣとＭＮＣとの組み合わせは、ＰＬＭＮ（public land mobile network）識別情報（identity）ともいうことを補足する。ＲＡＩを、次のように表現することができる。  
＜ＲＡＩ＞＝＜ＭＣＣ＞＜ＭＮＣ＞＜ＬＡＣ＞＜ＲＡＣ＞      式（１）
【０００６】
Ｅ−ＵＴＲＡＮにおいて、ＲＡを、ＴＡ（tracking area）により取り替える。ＴＡは、ＴＡＩを使用して、Ｅ−ＵＴＲＡＮにおいて識別される。ＴＡＩは、上述の識別子のいくつかとＴＡＣ（tracking area code）の連結である。ＴＡＣの長さは、１６ビット（２オクテット）である。ＴＡＩを、次のように表現する。
＜ＴＡＩ＞＝＜ＭＣＣ＞＜ＭＮＣ＞＜ＴＡＣ＞      式（２）  
【０００７】
セキュリティ上の理由によって、不変のＳＩＭ（Subscriber Identity Module）カード識別情報を使用することは望ましくないので、ＩＭＳＩ（International Mobile Subscriber Identity number）、ＴＭＳＩ、Ｐ−ＴＭＳＩ、またはＳ−ＴＭＳＩを、ネットワークアタッチメントのときにＷＴＲＵに割り当てる。ＴＭＳＩを、例えばＧＥＲＡＮおよび／またはＵＴＲＡＮのＣＳドメインにおいてなど、ＣＳドメインにおいて使用するために生成する。Ｐ−ＴＭＳＩを、ＷＴＲＵがＵＴＲＡＮまたはＧＥＲＡＮをアクセスネットワークとして使用してＰＳドメインにアタッチするときに、ＰＳドメインにおいて使用するために生成する。ＧＥＲＡＮ  ＰＳドメインにおいて作動するＷＴＲＵは、Ｐ−ＴＭＳＩに加えて、Ｐ−ＴＭＳＩから導出されるＴＬＬＩ（temporary logical link identifier）を利用する。ＬＴＥ／ＳＡＥネットワークにおいて、一時的な識別子は、Ｓ−ＴＭＳＩとして知られる。Ｐ−ＴＭＳＩは、長さが４オクテット、すなわち３２ビットである。さらに、ＴＬＬＩは、長さが４オクテット（３２ビット）である。Ｓ−ＴＭＳＩの長さは、５オクテット（４０ビット）である。
【０００８】
種々のアクセスネットワークにおいて使用される一時的な識別子の長さにおける上記の相違は、ＷＴＲＵが、新しい目標のネットワークに、前のアクセスネットワークにおいて使用された一時的な識別子を通知するときに、問題を生じる。したがって、アクセスネットワークの変更中に種々の識別情報を使用するためのマッピングルールが望まれる。
【発明の概要】
【０００９】
アクセスネットワーク相互動作のための方法、ＷＴＲＵ、および基地局を開示する。アクセスネットワーク再選択中の使用のための一時的な識別情報に対するマッピングルールを定義する。トラッキングエリア識別情報、ルーティングエリア識別情報、ＴＭＳＩ、パケットＴＭＳＩ、およびＳ−ＴＭＳＩの識別情報に対するマッピングルールを、ＵＴＲＡＮ、Ｅ−ＵＴＲＡＮ、およびＧＥＲＡＮのアクセスネットワークを再選択するときに使用する。アクセス・ネットワーク・サポートに応じて、ＷＴＲＵは、アクセスネットワーク再選択要求に含まれる識別情報（ＴＭＳＩ、Ｐ−ＴＭＳＩ、またはＳ−ＴＭＳＩ）の型を示すことができる。
【図面の簡単な説明】
【００１０】
【図１】３ＧＰＰアクセスネットワークのローミングをしないアーキテクチャを示す図である。
【図２】ルーティングエリア更新要求メッセージに含めるためにＴＡＩをＲＡＩにマッピングする方法のフローチャートである。
【図３】ルーティングエリア更新要求メッセージに含めるためにＳ−ＴＭＳＩをＰ−ＴＭＳＩにマッピングするための方法のフローチャートである。
【図４】Ｓ−ＴＭＳＩの表示を考慮するMobile Identity情報要素を表現する図である。
【図５】本明細書において開示される方法を実行するよう構成されたＷＴＲＵのブロック図である。
【図６】本明細書において開示される方法を実行するように構成された基地局のブロック図である。
【発明を実施するための形態】
【００１１】
本明細書において引用するとき、用語の「ＷＴＲＵ」は、制限しないが、ＵＥ（user equipment）、移動局、固定もしくは移動の加入者ユニット、ページャー、携帯電話機、ＰＤＡ（personal digital assistant）、コンピューター、またはワイヤレス環境において作動する性能がある他のあらゆる型のユーザデバイスを含む。本明細書において引用するとき、用語の「基地局」は、制限しないが、ノードＢ、サイトコントローラー、アクセスポイント（ＡＰ）、またはワイヤレス環境で作動する性能がある他のあらゆる型のインターフェーシングデバイスを含む。
【００１２】
この詳細な説明は、ＧＥＲＡＮおよびＵＴＲＡＮと相互に動作するＬＴＥ／ＳＡＥ（Ｅ−ＵＴＲＡＮ）という文脈において実施形態を開示する。上記の実施形態は、例であり、本開示の範囲を、それに制限しない。
【００１３】
ＷＴＲＵがＥ−ＵＴＲＡＮからＧＥＲＡＮに移動するシナリオにおいて、ＲＡ更新手順を実行する。実行されるＲＡ更新手順は、ＷＴＲＵがＲＡ更新要求メッセージを送信することにより開始する。ＲＡ更新要求メッセージは、ＷＴＲＵが現在関連付けられている識別情報（この場合、ＷＴＲＵがＥ−ＵＴＲＡＮから移動中であるのでＥ−ＵＴＲＡＮ識別情報）と、旧ＲＡＩとを含む。
【００１４】
ＷＴＲＵがＧＥＲＡＮアクセスネットワークに移動するので、ネットワークエントリに対する標準化された手順は、ＷＴＲＵによってＧＥＲＡＮ  ＳＧＳＮ宛てに送信されるＴＬＬＩを必要とする。したがって、このシナリオにおいて、ＷＴＲＵは、ＮＡＳ（non-access stratum）のＲＡ更新要求メッセージにおける識別情報を送信しない。ＴＬＬＩは、Ｐ−ＴＭＳＩが利用可能である場合に既存のＰ−ＴＭＳＩから導出され、Ｐ−ＴＭＳＩが利用可能でない場合に、ＴＬＬＩは、ランダムに選択される。次に、ＷＴＲＵは、前のＴＡＩをＲＡ更新要求メッセージの旧ＲＡＩ  ＩＥにおいて送信しなければならない。
【００１５】
図２を引用して、ＲＡ更新要求メッセージに含めるために既知のＴＡＩをＲＡＩ情報要素（ＩＥ）にマッピングする方法２００は、ＴＡＩ長（ビット単位）およびＲＡＩ  ＩＥ長を決定することによって開始する（ステップ２１０）。次に、ＴＡＩ長がＲＡＩ  ＩＥ長に等しいかどうかを決定する（ステップ２１５）。ＴＡＩ長がＲＡＩ  ＩＥ長に等しい場合、全ＴＡＩを、変更しないでＲＡＩ  ＩＥに挿入する（ステップ２２０）。ＴＡＩ長がＲＡＩ  ＩＥ長に等しくない場合、ＴＡＩ長がＲＡＩ  ＩＥ長よりも短いかどうかを決定する（ステップ２２５）。ＴＡＩ長がＲＡＩ  ＩＥ長よりも短い場合、ＴＡＩを、ＴＡＩの長さがＴＡＩ  ＩＥ長の長さに等しくなるように、零（０）か一（１）かのビットによりパディングする（ステップ２３０）。次に、パディングされたＴＡＩを、ＲＡ更新要求メッセージのＲＡＩ  ＩＥに挿入する（ステップ２３５）。ＴＡＩ長がＲＡＩ  ＩＥ長よりも短くない場合（ステップ２２５）、ＴＡＩ長がＲＡＩ  ＩＥ長よりも長いことを決定する（ステップ２４０）。この場合、ＲＡ更新要求メッセージのＲＡＩ  ＩＥへのＴＡＩの挿入のときにＴＡＩの最下位ビットを除く（ステップ２４５）。
【００１６】
図２に関して上述した方法２００は、ＴＡＩからＲＡＩへのマッピングのための基本的なルールを実施する多くの方法のうちの１つであることを補足する。この基本的なマッピングルールは、単に（１）短いＴＡＩのパディング、（２）長いＴＡＩの付加されたビットのオミット、（３）ＴＡＩがＲＡＩと同じ長さであるときの、ビット対ビットの２つのマッピングである。
【００１７】
上述したように、次に、ＧＥＲＡＮセルを再選択するとき、フォーリンＴＬＬＩ（Foreign  ＴＬＬＩ）を生成する必要がある。ＴＬＬＩを生成するために、８つの最下位ビットを含むＳ−ＴＭＳＩの最下位オクテットを除くことができ、次に、「フォーリンＴＬＬＩ」を、よく知られた番号付け、アドレッシングおよび識別のルールに基づいて生成することができる。
【００１８】
ＷＴＲＵがＥ−ＵＴＲＡＮセルにキャンプオンしており、どんな理由であってもＵＴＲＡＮセルを再選択する状況において、ＷＴＲＵは、Ｐ−ＴＭＳＩを使用して、ＷＴＲＵ自体を識別する。ＷＴＲＵがＧＥＲＡＮセルへハンドオーバー中でないので、ＴＬＬＩを導出する必要はないが、代わりに、第１の実施形態において上で定義されたルールに従ってＳ−ＴＭＳＩとＰ−ＴＭＳＩとの間の直のマッピングを、使用することができる。
【００１９】
図３を引用して、ＲＡ更新要求メッセージに含めるために既知のＳ−ＴＭＳＩを旧Ｐ−ＴＭＳＩ  ＩＥにマッピングする方法３００は、Ｓ−ＴＭＳＩ長（ビット単位）およびＰ−ＴＭＳＩ  ＩＥ長を決定することによって開始する（ステップ３１０）。次に、Ｓ−ＴＭＳＩ長がＰ−ＴＭＳＩ  ＩＥ長に等しいかどうかを決定する（ステップ３１５）。Ｓ−ＴＭＳＩ長がＰ−ＴＭＳＩ  ＩＥ長に等しい場合、全Ｓ−ＴＭＳＩを、変更なしにＰ−ＴＭＳＩ  ＩＥに挿入する（ステップ３２０）。Ｓ−ＴＭＳＩ長が−ＴＭＳＩ  ＩＥ長に等しくない場合、Ｓ−ＴＭＳＩ長がＰ−ＴＭＳＩ  ＩＥ長よりも短いかどうかを決定する（ステップ３２５）。Ｓ−ＴＭＳＩ長がＰ−ＴＭＳＩ  ＩＥ長よりも短い場合、Ｓ−ＴＭＳＩを、Ｓ−ＴＭＳＩの長さがＰ−ＴＭＳＩ  ＩＥ長の長さに等しくなるように、零（０）か一（１）かのビットによりパディングする（ステップ３３０）。次に、パディングされたＳ−ＴＭＳＩを、ＲＡ更新要求メッセージのＰ−ＴＭＳＩ  ＩＥに挿入する（ステップ３３５）。Ｓ−ＴＭＳＩ長がＰ−ＴＭＳＩ  ＩＥ長よりも短くない場合（ステップ３２５）、Ｓ−ＴＭＳＩ長がＰ−ＴＭＳＩ  ＩＥ長よりも長いことを決定する（ステップ３４０）。この場合、ＲＡ更新要求メッセージのＰ−ＴＭＳＩ  ＩＥへのＳ−ＴＭＳＩの挿入のときにＳ−ＴＭＳＩの最下位ビットを除く（ステップ３４５）。
【００２０】
図３に関して上述した方法３００は、Ｓ−ＴＭＳＩからＰ−ＴＭＳＩへのマッピングのための基本的なルールを実施する多くの方法のうちの１つであることを補足する。この基本的なマッピングルールは、単に（１）短いＳ−ＴＭＳＩのパディング、（２）長いＳ−ＴＭＳＩの付加されたビットのオミット、（３）Ｓ−ＴＭＳＩがＰ−ＴＭＳＩと同じ長さであるときの、ビット対ビットの２つのマッピングである。
【００２１】
あるいはまた、ＷＴＲＵがハンドオーバー中である先のＵＴＲＡＮのＳＧＳＮが、３ＧＰＰ  ＵＭＴＳ標準のリリース８バージョンと互換性があるとき、ＵＴＲＡＮセルのシステム情報ブロックにおける表示をブロードキャストする。ＷＴＲＵは、システム情報ブロックを受信して、ＳＧＳＮがリリース８標準において指定された通りにＮＡＳメッセージのエンコードを処理する性能があることを認識することができる。次に、ＷＴＲＵは、ＲＡ更新要求メッセージに含まれる移動識別情報ＩＥに含まれている識別情報の型（すなわち、Ｐ−ＴＭＳＩまたはＳ−ＴＭＳＩ）を明示的に示すことができる。
【００２２】
図４を引用して、ＷＴＲＵは、移動識別情報ＩＥ  ４００のオクテット３における識別情報の型のフィールドに適切な値を設定することによって、ＲＡ更新要求メッセージにおいて送信される移動識別情報の型を示す。識別情報の型のフィールドは、３ビット長であり、それによって、８つの可能なコードポイント（ｃｏｄｅ  ｐｏｉｎｔ）を提供する。８つの可能なコードポイントのうちの１つを、移動識別情報ＩＥ  ４００に含まれる識別情報の型としてＳ−ＴＭＳＩを示すように設定する。Ｓ−ＴＭＳＩの長さがＩＭＳＩよりも明確に短いので、あいまいさは存在できない。さらに、移動識別情報ＩＥ  ４００の長さは、可変である。移動識別情報ＩＥ  ４００の可変な長さを、図４に示す。ただし、Ｎオクテットが使用可能である。移動識別情報ＩＥ  ４００の長さを、Ｓ−ＴＭＳＩの長さに基づいてＷＴＲＵにより設定する。例えば、Ｓ−ＴＭＳＩの長さが５オクテットである場合、移動識別情報ＩＥ  ４００の全長は、８オクテットである。
【００２３】
図５を引用して、上述した方法に係るセル再選択およびハンドオーバーを実行するよう構成されたＷＴＲＵ  ５００は、トランシーバー（Ｔｘ／Ｒｘ）５１０と、プロセッサ５２０と、ＳＩＭカード５３０と、アイデンティティジェネレータ５４０とを含む。トランシーバー５１０は、ＷＴＲＵ  ５００に、エアインターフェースを介して種々のアクセスネットワークと通信することを可能にする。プロセッサ５２０は、上述した通りに、ＲＡ更新要求メッセージおよび移動識別情報ＩＥを含む、アクセスネットワーク再選択のためのメッセージの生成およびエンコードを含む、ＷＴＲＵ  ５００により必要とされるすべての処理機能を実行する。ＳＩＭカード５３０は、ＳＩＭカードに固有のＩＭＳＩを含む。アイデンティティジェネレータ５４０は、プロセッサ５２０と結合して、またはプロセッサ５２０のサブユニットとして、本明細書において説明された通りに、ＴＡＩからＲＡＩへの、ＲＡＩからＴＡＩへの、Ｓ−ＴＭＳＩからＰ−ＴＭＳＩへの、Ｐ−ＴＭＳＩからＳ−ＴＭＳＩへのマッピング、およびＴＬＬＩの生成を実行する。図示していないが、ＷＴＲＵ  ５００は、ＷＴＲＵと通常結びつけられる追加の構造コンポーネントを含むことができる。上記の追加のコンポーネントは、制限されないが、入力デバイス（例えばキーパッド、キーボード、および／またはタッチスクリーン）、ディスプレイ、スピーカー、マイクロフォン、動きセンサ、加速度計などを含むことができる。他のいくつかの追加のコンポーネントを、下に説明する。
【００２４】
図６を引用して、例えば図５に関して上述したＷＴＲＵ  ５００など、ＷＴＲＵを補助するよう構成された基地局６００は、トランシーバー（Ｔｘ／Ｒｘ）６１０と、プロセッサ６２０と、ＳＩＢジェネレータ６３０とを含む。トランシーバー６４０は、基地局６００に、エアインターフェースを介して基地局６００のカバレージエリアの中のＷＴＲＵと通信することを可能にする。プロセッサ６２０は、本明細書において説明された通りに、セル再選択およびハンドオーバーに関するＡＳ（access stratum）およびＮＡＳメッセージの処理を含む、基地局６００により必要とされるすべての処理機能を実行する。ＳＩＢジェネレータ６３０は、標準リリース互換性に関する情報を含む、上述したようなＳＩＢを生成する。プロセッサ６２０は、トランシーバー６１０を介してＷＴＲＵからのＲＡ更新要求メッセージにおいて受信した移動識別情報ＩＥを処理する。次に、プロセッサ６２０は、本明細書において説明された通りに、受信した移動識別情報ＩＥにおいて示される識別情報の型に基づいて受信した識別情報の型を識別する。
【００２５】
本開示の特徴および要素が実施形態において特定の組み合わせで説明されたが、各特徴または要素は、実施形態の他の特徴および要素を伴わずに単独で使用することができ、または本開示の他の特徴および要素を伴うもしくは伴わない様々な組み合わせで使用することができる。本開示において提供される方法またはフローチャートは、汎用コンピューターまたはプロセッサによって実行される、コンピューター読み取り可能な記憶媒体において有形に実施されるコンピュータープログラム、ソフトウェア、またはファームウェアで実施することができる。コンピューター読み取り可能な記憶媒体の例は、ＲＯＭ（read only memory）、ＲＡＭ（random access memory）、レジスター、キャッシュメモリ、半導体メモリデバイス、例えば内蔵ハードディスク、取外し可能なディスクなどの磁気媒体、光磁気媒体、および例えばＣＤ−ＲＯＭディスク、ＤＶＤ（digital versatile disk）などの光媒体を含む。
【００２６】
適切なプロセッサは、例として、汎用プロセッサ、専用プロセッサ、従来のプロセッサ、デジタル信号プロセッサ（ＤＳＰ）、複数のマイクロプロセッサ、ＤＳＰコアと共同する１つもしくは複数のマイクロプロセッサ、コントローラー、マイクロコントローラー、特定用途向け集積回路（ＡＳＩＣ）、フィールドプログラマブルゲートアレイ（ＦＰＧＡ）回路、他のあらゆる型の集積回路（ＩＣ）、および／または状態マシンを含む。
【００２７】
ソフトウェアと関連するプロセッサを、ＷＴＲＵ、ＵＥ、端末、基地局、無線ネットワークコントローラー（ＲＮＣ）、またはあらゆるホストコンピューターにおいて使用される無線周波数トランシーバーを実施するために使用することができる。ＷＴＲＵを、例えばカメラ、ビデオカメラモジュール、ビデオフォン、スピーカフォン、バイブレーションデバイス、スピーカー、マイクロフォン、テレビトランシーバー、ハンズ・フリー・ヘッドセット、キーボード、Ｂｌｕｅｔｏｏｔｈ（登録商標）モジュール、周波数変調（ＦＭ）無線ユニット、液晶表示（ＬＣＤ）ディスプレイユニット、有機発光ダイオード（ＯＬＥＤ）ディスプレイユニット、デジタル音楽プレーヤー、メディアプレーヤー、ビデオゲームプレーヤーモジュール、インターネットブラウザー、および／またはあらゆるワイヤレス・ローカル・エリア・ネットワーク（ＷＬＡＮ）モジュールなど、ハードウェアおよび／またはソフトウェアにおいて実施されるモジュールと共同して使用することができる。
【００２８】
（実施形態）  
１．ＴＡＩをＲＡＩ  ＩＥにマッピングする方法であって、
ビット単位のＴＡＩ長を決定するステップ
を備えた方法。  
２．ＴＡＩ長をＲＡＩ  ＩＥの長さと比較するステップをさらに備えた実施形態１の方法。  
３．ＲＡＩ  ＩＥの長さに等しいＴＡＩ長に応答してＴＡＩをＲＡＩ  ＩＥに挿入するステップをさらに備えた実施形態３の方法。  
４．ＲＡＩ  ＩＥの長さよりも短いＴＡＩ長に応答してパディングビットを有するＴＡＩをＲＡＩ  ＩＥに挿入するステップをさらに備えた実施形態３の方法。  
５．ＲＡＩ  ＩＥの長さよりも長いＴＡＩ長に応答して少なくとも１つの最下位ビットが除かれたＴＡＩをＲＡＩ  ＩＥに挿入するステップをさらに備えた実施形態３の方法。  
６．ＲＡＩ  ＩＥをルーティングエリア更新要求メッセージにより送信するステップをさらに備えた実施形態２−５の方法。  
７．ＴＡＩは、Ｅ−ＵＴＲＡＮに関連する上記実施形態のいずれかにおける方法。  
８．ルーティングエリア更新要求メッセージは、ＵＴＲＡＮへ送信される実施形態６−７の方法。  
９．ルーティングエリア更新要求メッセージは、ＧＥＲＡＮに送信される実施形態６−８の方法。  
１０．ビット単位のＴＡＩ（トラッキングエリア識別情報）長を決定するよう構成されたプロセッサを備えたＷＴＲＵ。  
１１．プロセッサは、
ＴＡＩ長をＲＡＩ  ＩＥの長さと比較するようさらに構成された実施形態１０のＷＴＲＵ。  
１２．プロセッサは、ＲＡＩ  ＩＥの長さに等しいＴＡＩ長に応答してＴＡＩをＲＡＩ  ＩＥに挿入するようさらに構成された実施形態１１のＷＴＲＵ。  
１３．プロセッサは、ＲＡＩ  ＩＥの長さよりも短いＴＡＩ長に応答してパディングビットを有するＴＡＩをＲＡＩ  ＩＥに挿入するようさらに構成された実施形態１１のＷＴＲＵ。  
１４．プロセッサは、
ＲＡＩ  ＩＥの長さよりも長いＴＡＩ長に応答して少なくとも１つの最下位ビットが除かれたＴＡＩをＲＡＩ  ＩＥに挿入するようさらに構成された実施形態１１のＷＴＲＵ。  
１５．ＲＡＩ  ＩＥをルーティングエリア更新要求メッセージにより送信するように構成されたトランスミッターをさらに備えた実施形態１１−１４のＷＴＲＵ。  
１６．ＴＡＩは、Ｅ−ＵＴＲＡＮに関連する実施形態１１−１５のＷＴＲＵ。  
１７．トランスミッターは、ルーティングエリア更新要求メッセージを、ＵＴＲＡＮに送信するようさらに構成された実施形態１５−１６のＷＴＲＵ。  
１８．トランスミッターは、ルーティングエリア更新要求メッセージを、ＧＥＲＡＮに送信するようさらに構成された実施形態１５−１７のＷＴＲＵ。  
１９．基地局において使用する方法であって、
ＮＡＳメッセージのエンコードに対するサポートを示すＳＩＢを生成するステップ
を備えた方法。  
２０．ＳＩＢをブロードキャストするステップをさらに備えた実施形態１９の方法。  
２１．移動識別情報ＩＥを受信するステップをさらに備えた実施形態１９−２０の方法。  
２２．移動識別情報ＩＥは、識別情報のタイプを示すフィールドを含む実施形態２１の方法。  
２３．移動識別情報ＩＥは、Ｓ−ＴＭＳＩを含む実施形態２１−２２の方法。  
２４．識別情報のタイプを示すフィールドは、３ビットの長さである実施形態２２の方法。  
２５．移動識別情報ＩＥは、ルーティングエリア更新要求メッセージにより受信される実施形態２１−２４の方法。  
２６．ＮＡＳメッセージのエンコードに対するサポートの表示は、関連するＳＧＳＮの性能に基づく実施形態１９−２５の方法。  
２７．移動識別情報ＩＥの長さは、識別情報のタイプに基づく可変なオクテット数である実施形態２１−２６の方法。  
２８．基地局は、ＵＴＲＡＮの基地局である実施形態１９−２７の方法。  
２９．基地局は、Ｅ−ＵＴＲＡＮ（の基地局である実施形態１９−２７の方法。  
３０．ＮＡＳメッセージのエンコードに対するサポートを示すＳＩＢメッセージを生成するように構成されたＳＩＢジェネレータを備えた基地局。  
３１．ＳＩＢをブロードキャストするように構成されたトランスミッターをさらに備えた実施形態３０の基地局。  
３２．移動識別情報ＩＥを受信するように構成されたレシーバーをさらに備えた実施形態３１の基地局。  
３３．移動識別情報ＩＥは、識別情報のタイプを示すフィールドを含む実施形態３２の基地局。  
３４．移動識別情報ＩＥは、Ｓ−ＴＭＳＩを含む実施形態３２−３３の基地局。  
３５．識別情報のタイプを示すフィールドは、３ビットの長さである実施形態３３の基地局。  
３６．移動識別情報ＩＥは、ルーティングエリア更新要求メッセージにより受信される実施形態３２−３５の基地局。  
３７．ＮＡＳメッセージのエンコードに対するサポートの表示は、関連するＳＧＳＮの性能に基づく実施形態３０−３６の基地局。  
３８．移動識別情報ＩＥの長さは、移動識別情報ＩＥおいて受信された識別情報のタイプに基づく可変なオクテット数である実施形態３２−３７の基地局。  
３９．基地局は、ＵＴＲＡＮの基地局である実施形態３０−３８の基地局。  
４０．基地局は、Ｅ−ＵＴＲＡＮの基地局である実施形態３０−３８の基地局。  
４１．ＮＡＳメッセージのエンコードに対するサポートを示すＳＩＢを基地局から受信するよう構成されたレシーバーを備えたＷＴＲＵ。  
４２．基地局がリリース８  ＮＡＳメッセージをサポートするかどうかを決定するよう構成されたプロセッサをさらに備えた実施形態４１のＷＴＲＵ。  
４３．識別情報のタイプを示すフィールドを含んでいる移動識別情報ＩＥを生成するよう構成されたプロセッサをさらに備えた実施形態４１−４２のＷＴＲＵ。  
４４．移動識別情報ＩＥは、Ｓ−ＴＭＳＩを含む実施形態４３のＷＴＲＵ。  
４５．識別情報のタイプを示すフィールドは、３ビットの長さである実施形態４３−４４のＷＴＲＵ。  
４６．移動識別情報ＩＥを送信するように構成されたトランスミッターをさらに備えた実施形態４３−４５のＷＴＲＵ。  
４７．トランスミッターは、移動識別情報ＩＥをＲＡ更新要求メッセージにより送信するようさらに構成された実施形態４６のＷＴＲＵ。  
４８．ＮＡＳメッセージのエンコードに対するサポートの表示は、ＳＧＳＮの性能に基づく実施形態４１−４７のＷＴＲＵ。  
４９．移動識別情報ＩＥの長さは、移動識別情報ＩＥにおいて生成された識別情報のタイプに基づく可変なオクテット数である実施形態４３−４８のＷＴＲＵ。
【図１】
2011507403.tif 000003
【図２】
2011507403.tif 000004
【図３】
2011507403.tif 000005
【図４】
2011507403.tif 000006
【図５】
2011507403.tif 000007
【図６】
2011507403.tif 000008
【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
ＷＴＲＵにおいて使用する方法であって、
ＴＡＩのデータに基づいてＲＡＩ  ＩＥを生成するステップであって、前記ＲＡＩ  ＩＥは前記ＴＡＩのデータよりも長い、ＲＡＩ  ＩＥを生成するステップと、
Ｓ−ＴＭＳＩに基づいてＰ−ＴＭＳＩ  ＩＥを生成するステップであって、前記Ｓ−ＴＭＳＩの少なくとも１ビットは前記Ｐ−ＴＭＳＩに含まれない、Ｐ−ＴＭＳＩ  ＩＥを生成するステップと、
前記ＲＡＩ  ＩＥおよび前記Ｐ−ＴＭＳＩを含んでいるルーティングエリア更新要求メッセージを生成するステップと、
前記ルーティングエリア更新要求メッセージを送信するステップと
を備えたことを特徴とする方法。
【請求項２】
前記ＴＡＩのデータは、Ｅ−ＵＴＲＡＮに関連することを特徴とする請求項１に記載の方法。
【請求項３】
前記ルーティングエリア更新要求メッセージは、ＵＴＲＡＮへ送信されることを特徴とする請求項１に記載の方法。
【請求項４】
前記ルーティングエリア更新要求メッセージは、ＧＥＲＡＮへ送信されることを特徴とする請求項１に記載の方法。
【請求項５】
ＴＡＩのデータに基づいてＲＡＩ  ＩＥを生成する、
Ｓ−ＴＭＳＩに基づいてＰ−ＴＭＳＩ  ＩＥを生成する、
前記ＲＡＩ  ＩＥおよび前記Ｐ−ＴＭＳＩを含んでいるルーティングエリア更新要求メッセージを生成する
よう構成されたプロセッサであって、前記ＲＡＩ  ＩＥは前記ＴＡＩデータよりも長く、前記Ｓ−ＴＭＳＩの少なくとも１ビットは前記Ｐ−ＴＭＳＩ内に含まれない、プロセッサと、
前記ルーティングエリア更新要求メッセージを送信するよう構成されたトランスミッターと
を備えたことを特徴とするＷＴＲＵ。
【請求項６】
前記ＴＡＩのデータは、Ｅ−ＵＴＲＡＮに関連することを特徴とする請求項５に記載のＷＴＲＵ。
【請求項７】
前記トランスミッターは、前記ルーティングエリア更新要求メッセージをＵＴＲＡＮへ送信するようさらに構成されたことを特徴とする請求項５に記載のＷＴＲＵ。
【請求項８】
前記トランスミッターは、前記ルーティングエリア更新要求メッセージをＧＥＲＡＮへ送信するようさらに構成されたことを特徴とする請求項５に記載のＷＴＲＵ。
【請求項９】
基地局において使用する方法であって、
ルーティングエリア更新要求メッセージを受信するステップであって、前記ルーティングエリア更新要求メッセージは、識別情報のタイプを示す３ビットフィールドおよびＬＴＥのＴＭＳＩを含んでいる移動識別情報ＩＥを含む、受信するステップ
を備えたことを特徴とする方法。
【請求項１０】
ＮＡＳメッセージのエンコードに対するサポートを示すＳＩＢを生成するステップと、
前記ＳＩＢをブロードキャストするステップと
をさらに備えたことを特徴とする請求項９に記載の方法。
【請求項１１】
前記ＮＡＳメッセージのエンコードに対するサポートの表示は、関連するＳＧＳＮの性能に基づくことを特徴とする請求項１０に記載の方法。
【請求項１２】
ルーティングエリア更新要求メッセージを受信するように構成されたレシーバーであって、前記ルーティングエリア更新要求メッセージは識別情報のタイプを示す３ビットフィールドおよびＬＴＥのＴＭＳＩを含んでいる移動識別情報ＩＥを含む、レシーバーを備えた基地局。
【請求項１３】
ＮＡＳメッセージのエンコードに対するサポートを示すＳＩＢメッセージを生成するよう構成されたＳＩＢジェネレータと、
前記ＳＩＢをブロードキャストするよう構成されたトランスミッターと
をさらに備えたことを特徴とする請求項１２に記載の基地局。
【請求項１４】
前記ＮＡＳメッセージのエンコードに対するサポートの表示は、関連するＳＧＳＮの性能に基づくことを特徴とする請求項１３に記載の基地局。
【国際調査報告】
2011507403.tif 000009
2011507403.tif 000010
2011507403.tif 000011
2011507403.tif 000012